(57)【要約】      （修正有）【課題】連続巻回されたトイレットペーパーのつまみ出し・繰り出し・切断の一連の動作を片手でも容易に行えるトイレットペーパーカッターを提供する。【解決手段】ペーパーホルダー４Ａのペーパー上面カバー２に固定される台形状の固定部５Ｃと、固定部５Ｃに対して直角状の立ち上り部５Ｄを備え、固定部５Ｃにはペーパーホルダー４Ａからつまみ出し・繰り出されたトイレットペーパー３を折り返すペーパー折り返し部５Ｆを、立ち上り部５Ｄにはペーパー折り返し部５Ｆで折り返したトイレットペーパー３をつまみ代を残し切断するためのペーパーカッター部５Ｅを設けて構成する。【選択図】図１
2012050801.tif 000002
【特許請求の範囲】
【請求項１】
トイレットペーパー３を収納保持するためのペーパー保持部１とペーパー上面カバー部２を有するペーパーホルダー４Ａに後付けされ、つまみ出し・繰り出されたトイレットペーパー３を切断するトイレットペーパーカッターであって、
前記トイレットペーパーカッター５は少なくとも前記ペーパーホルダー４Ａの前記ペーパー上面カバー部２に固定される台形状の固定部５Ｃと、前記固定部５Ｃに対して直角状の立ち上り部５Ｄを備え、
前記固定部５Ｃにはペーパーホルダー４Ａからつまみ出し・繰り出されたトイレットペーパー３を折り返すペーパー折り返し部５Ｆが設けられ、
前記立ち上り部５Ｄには前記ペーパー折り返し部５Ｆで折り返したトイレットペーパー３をつまみ代３Ａを残し切断するためのペーパーカッター部５Ｅが設けられたことを特徴とするトイレットペーパーカッター。
【請求項２】
前記立ち上り部５Ｄが前記ペーパー保持部１に固定されていることを特徴とする請求項１記載のトイレットペーパーカッター。
【請求項３】
請求項１または２に記載されたトイレットペーパーカッターを配設したことを特徴とするトイレットペーパーホルダー。
【発明の詳細な説明】
【発明の詳細な説明】
【技術分野】
【０００１】  本発明は、連続して巻回された巻ペーパー（以下トイレットペーパーと記す）を収納保持するペーパーホルダーと一体、またはペーパーホルダーに後付けされて、ペーパーホルダーから繰り出されたトイレットペーパーを切断するトイレットペーパーカッターに係わり、特には、トイレットペーパーのつまみ出し・繰り出し・切断が片手でも容易にでき、且つ、次回繰り出し時のつまみ代を確実に残らせることができるトイレットペーパーカッターに関するものである。
【背景技術】
【０００２】  従来、トイレットペーパーはペーパーホルダーに収納保持され用いられ、必要長さ繰り出されたトイレットペーパーは前記ペーパーホルダーに設けられたペーパーカッターで切断されていた。（特許文献１参照）【０００３】  図５、図６は特許文献１に記載された従来のペーパーホルダー４Ａおよび従来例のペーパーホルダー４Ａによるトイレットペーパー３のつまみ出し・繰り出し・切断の一連の動作を示す説明図である。【０００４】  図５において１は連続巻回されたトイレットペーパー３を収納保持してトイレットペーパー３を繰り出すための隙間を有する円筒状のペーパー保持部、２はペーパー保持部１に延設されたペーパー上面カバー部、５は回転可能な可動手段６，６によりペーパー上面カバー部２に配設せしめられたペーパーカッターで一端部にペーパー繰り出し阻止部５Ａ，他端側にペーパーカッター部５Ｂを有した構成である。【０００５】  ここで、図６を参照してペーパーホルダー４Ａを使用した時のトイレットペーパー３のつまみ出し、繰り出しと切断は次のようにして行われていた。
（１）トイレットペーパー３の先端部に位置するつまみ代３Ａを同図（ａ）に示すように指７でつまみ、次に、（２）同図（ｂ），（ｃ）に示すように必要長さ繰り出す。そして、（３）同図（ｄ）に示すようにペーパー保持部１の先端部に配備されたペーパー上面カバーに可動手段６，６を介し設置されているペーパーカッター５を可動すべくトイレットペーパー３を上方に持ち上げペーパーを切断する動作を行う。
【先行技術文献】
【０００６】
【特許文献】
【０００７】
【特許文献１】特開２００４−０５７７６０号公報
【０００８】
【発明の概要】
【発明が解決しようとする課題】
【０００９】  前述したペーパーホルダー４Ａに収納保持されたトイレットペーパー３のつまみ出し・繰り出し・切断の一連の動作は両手を使える健常者には極めて有効であり効果が得られた。しかしながら、同じ一連の動作を怪我や障害等で手が不自由な者が片手で行うような場合はトイレットペーパー３のつまみ出し、切断が容易に確実に出来ないという難点があった。
また、従来のペーパーホルダー４Ａに用いられるペーパーカッター５は取り付けが煩雑なほか高価になる難点があった。【００１０】  本発明は、上記課題に鑑みてなされたものであり、これら難点を解消でき、トイレットペーパーのつまみ出し・繰り出し・切断の一連の動作が片手でも容易に行うことができるペーパーホルダーに好適なトイレットペーパーカッターを提供することにある。
【課題を解決するための手段】
【００１１】  以下の発明の態様は、本発明の構成を例示するものであり、本発明の技術的範囲を限定するものではない。【００１２】  （１）トイレットペーパーを収納保持するためのペーパー保持部１とペーパー上面カバー部２を有するペーパーホルダー４Ａに後付けされ、つまみ出し・繰り出されたトイレットペーパー３を切断するトイレットペーパーカッターであって、
ペーパーカッター５は少なくともペーパーホルダー４Ａのペーパー上面カバー部２に固定される台形状の固定部５Ｃと、固定部５Ｃに対して直角状の立ち上り部５Ｄを備え、
前記固定部５Ｃには前記ペーパーホルダー４Ａからつまみ出し・繰り出された前記トイレットペーパー３を折り返すペーパー折り返し部５Ｆが設けられ、前記立ち上り部５Ｄには前記ペーパー折り返し部５Ｆで折り返した前記トイレットペーパー３をつまみ代３Ａを残し切断するためのペーパーカッター部５Ｅが設けられて構成されている。【００１３】  なお、前記ペーパーカッター部５Ｅは前記ペーパー折り返し部５Ｆで折り返した前記トイレットペーパー３をつまみ代３Ａを残し確実に切断するため鋸歯波状に形成するのが望ましい。【００１４】  本項に記載のトイレットペーパーカッター５は前記ペーパー折り返し部５Ｆと前記ペーパーカッター部５Ｅを具備する構成なので、前記トイレットペーパー３を切断後につまみ代３Ａが確実に残る。また、折り返した前記トイレットペーパー３の切断も確実にできるので、怪我や障害等で手が不自由な者であってもトイレットペーパー３のつまみ出し・繰り出し・切断を容易に確実に行うことが可能となる。【００１５】  （１）のトイレットペーパーカッターにおいて、前記立ち上がり部５Ｄが前記ペーパー保持部１に固定されているトイレットペーパーカッター。【００１６】  本項に記載のトイレットペーパーカッター５は前記固定部５Ｃが前記ペーパー上面カバー部２に固定され、前記立ち上り部５Ｄが前記ペーパー保持部１に固定されるので、トイレットペーパーの残量が減少しても前記立ち上り部５Ｄが前記ペーパー保持部１の外側に位置するため前記トイレットペーパー３の切断が一層確実になされる。また、前記トイレットペーパー３の切断後につまみ代３Ａが確実に残る。この結果、怪我や障害等で手が不自由な者であってもトイレットペーパー３のつまみ出し・繰り出し・切断を片手でも容易に行うことが可能になる。【００１７】
【発明の効果】
【００１８】  本発明によれば、簡便な手段により、連続して巻回されたトイレットペーパーのつまみ出し・繰り出し・切断の一連の動作を片手でも容易に行うことができる。また、トイレットペーパーの使用量に関係なく切断できるほか、余分なトイレットペーパーの使用がなくなる。さらに、怪我や障害等で手が不自由な者であっても同じ一連の動作を容易に確実に行うことができるので、その実用上の効果は大きなものがある。
【図面の簡単な説明】
【００１９】
【図１】  本発明による一実施例のトイレットペーパーカッターとその取り付けを示す説明図で、同図（ａ）はトイレットペーパーカッターの要部斜視図、同図（ｂ）は既存のペーパーホルダーを示す説明図、同図（ｃ）はトイレットペーパーカッターがペーパーホルダーに取り付けられた状態を示す説明図である。
【図２】  図１（ｃ）のペーパーホルダーによるトイレットペーパーのつまみ出し・繰り出し・切断の一連の動作を示す説明図である。
【図３】  本発明による他の実施例で固定部５Ｃがペーパー上面カバー部２に、立ち上り部５Ｄがペーパー保持部１に固定されてなるトイレットペーパーカッターとその取り付けを示す説明図で、同図（ａ）はトイレットペーパーカッターの要部斜視図、同図（ｂ）は既存のペーパーホルダーを示す説明図、同図（ｃ）はトイレットペーパーカッターがペーパーホルダーに取り付けられた状態を示す説明図である。
【図４】  図１（ｃ）のトイレットペーパーカッターを取り付けたペーパーホルダーの構成を示す説明図で、同図（ａ）は平面図、同図（ｂ）は側面図、同図（ｃ）は正面図である。
【図５】  従来例のペーパーホルダーを示す部分斜視図である。
【図６】  従来例のペーパーホルダーによるトイレットペーパーのつまみ出し・繰り出し・切断の一連の動作を示す説明図である。
【発明を実施するための形態】
【００２０】  以下、図面を参照して本発明の実施形態について説明する。
図１は、本発明による一実施例のトイレットペーパーカッターとその取り付けを示す説明図で、同図（ａ）はトイレットペーパーカッターの要部斜視図、同図（ｂ）は既存のペーパーホルダーを示す説明図、同図（ｃ）はトイレットペーパーカッターがペーパーホルダーに取り付けられた状態を示す説明図である。
【００２１】  本発明の実施形態におけるトイレットペーパーカッター５は、既存のペーパーホルダー４Ａのペーパー上面カバー部２に両面粘着テープや接着剤により固定するための台形状の固定部５Ｃと、前記固定部５Ｃに対して直角状の立ち上り部５Ｄとから構成されている。
【００２２】  前記固定部５Ｃには前記ペーパーホルダー４Ａからつまみ出し・繰り出されたトイレットペーパー３を折り返すペーパー折り返し部５Ｆが設けられ、前記立ち上り部５Ｄには前記ペーパー折り返し部５Ｆで折り返したトイレットペーパー３をつまみ代３Ａを残し切断するためのペーパーカッター部５Ｅが設けられて構成されている。
【００２３】  なお、前記ペーパー折り返し部５Ｆと前記立ち上り部５Ｄとはα角度で交差するよう構成されており、前記トイレットペーパー３を切断する際の力と前記ペーパー上面カバー部２が浮かないために交差角度は３０°〜７５°位に形成するのが望ましい。
【００２４】  前記トイレットペーパーカッター５は金属薄板、合成樹脂シート（例えば、ＰＰ，ＡＢＳ等）、ゴム系、エラストマー等で既存のペーパーホルダー４Ａとペーパー上面カバー部２に応じた形状と寸法に形成されている。
なお、前記トイレットペーパーカッター５を前記ペーパーホルダー４Ａと一体形成してもよいことはいうまでもなく、その形状と構造についても種々変更可能なことはいうまでもない。
【００２５】  図３は、本発明による他の実施例で固定部５Ｃがペーパー上面カバー部２に、立ち上り部５Ｄがペーパー保持部１に固定されてなるトイレットペーパーカッターとその取り付けを示す説明図で、同図（ａ）はトイレットペーパーカッターの要部斜視図、同図（ｂ）は既存のペーパーホルダーを示す説明図、同図（ｃ）はトイレットペーパーカッターがペーパーホルダーに取り付けられた状態を示す説明図である。
【００２６】  本発明の実施形態におけるトイレットペーパーカッター５は、既存のペーパーホルダー４Ａのペーパー上面カバー部２に両面粘着テープや接着剤により固定された台形状の固定部５Ｃと、前記固定部５Ｃに対して直角状にペーパー保持部１に両面粘着テープや接着剤により固定された立ち上がり部５Ｄとから構成されている。
【００２７】  前記固定部５Ｃには前記ペーパーホルダー４Ａからつまみ出し・繰り出されたトイレットペーパー３を折り返すペーパー折り返し部５Ｆが設けられ、前記立ち上り部５Ｄには前記ペーパー折り返し部５Ｆで折り返したトイレットペーパー３をつまみ代３Ａを残し切断するためのペーパーカッター部５Ｅが設けられて構成されている。
【００２８】  なお、前記ペーパー折り返し部５Ｆと前記立ち上り部５Ｄとはα角度で交差するよう構成されており、前記トイレットペーパー３を切断する際の力と前記ペーパー上面カバー部２が浮かないために交差角度は３０°〜７５°位に形成するのが望ましい。
【００２９】  前記トイレットペーパーカッター５は金属薄板、合成樹脂シート（例えば、ＰＰ，ＡＢＳ等）、ゴム系、エラストマー等で既存のペーパーホルダー４Ａとペーパー上面カバー部２に応じた形状と寸法に形成されている。
なお、前記トイレットペーパーカッター５を前記ペーパーホルダー４Ａと一体形成してもよいことはいうまでもなく、その形状と構造についても種々変更可能なことはいうまでもない。
【００３０】  以上のように構成されたトイレットペーパーカッター５は構成が簡単で安価であり、既存のペーパーホルダー４Ａへの取り付けも簡単でトイレットペーパーカッター５が設けられたペーパーホルダー４が得られる。
【００３１】  このペーパーホルダー４からトイレットペーパー３をつまみ出し、必要な長さだけ繰り出したら、ペーパー折り返し部５Ｆで折り返して鋸歯波状のペーパーカッター部５Ｅで切断すればトイレットペーパー３を容易に確実に切断することができる。
【００３２】  同時に、ペーパー折り返し部５Ｆとペーパーカッター部５Ｅ間にはトイレットペーパー３のつまみ代３Ａが残される結果、怪我や障害等で手が不自由な者であってもトイレットペーパー３のつまみ出しを含む繰り出し・切断を確実に行うことが可能となり、その実用上の効果は大きなものがある。
【００３３】  以上、本発明を好ましい実施形態に基づいて説明したが、本発明は、上述した実施形態に限定されるものではない。
【符号の説明】
【００３４】１  ペーパー保持部
２  ペーパー上面カバー部
３  巻ペーパー（トイレットペーパー）
３Ａ  つまみ代
４，４Ａ  ペーパーホルダー
５  ペーパーカッター
５Ａ  ペーパー繰り出し阻止部
５Ｂ，５Ｅ  ペーパーカッター部
５Ｃ  固定部
５Ｄ  立ち上り部
５Ｆ  ペーパー折り返し部
６，６  可動手段
７  指
【図１】
2012050801.tif 000003
【図２】
2012050801.tif 000004
【図３】
2012050801.tif 000005
【図４】
2012050801.tif 000006
【図５】
2012050801.tif 000007
【図６】
2012050801.tif 000008